(57)【特許請求の範囲】
【請求項１】
撮像部で被写体を撮影して得た撮影画像を記憶媒体に記憶する撮影ユニットと、
前記記憶媒体が着脱可能に装着される装着部と、
テレビ放送を受信してテレビ映像を作成するテレビユニットと、
前記装着部への前記記憶媒体の装着の有無に関わりなく前記撮影ユニットを動作させるカメラモードと、前記テレビユニットを動作させるテレビモードとを択一的に選択する第１のモード選択部と、
カメラ付き電子機器のユーザが当該電子機器を使用する際に設定されるユーザモードと非ユーザモードとを択一的に選択する第２のモード選択部と、
前記第１のモード選択部によって前記カメラモードが選択された時に前記撮影画像を表示し、前記第１のモード選択部によって前記テレビモードが選択された時に前記テレビ映像を表示する表示部と、
前記第２のモード選択部によって前記ユーザモードが選択されると共に前記第１のモード選択部によって前記テレビモードが選択された場合に、前記記憶媒体が前記装着部に装着されていない時には前記表示部による前記テレビ映像の表示を許容し、前記記憶媒体が前記装着部に装着されている時には前記表示部による前記テレビ映像の表示を所定の時間に制限する第１の制御部と、
前記第２のモード選択部によって前記非ユーザモードが選択されると共に前記第１のモード選択部によって前記テレビモードが選択された場合に、前記装着部への前記記憶媒体の装着の有無に関わりなく前記表示部による前記テレビ映像の表示を所定の時間に制限する第２の制御部と、を備えることを特徴とするカメラ付き電子機器。
【請求項２】
撮像部で被写体を撮影して得た撮影画像を記憶媒体に記憶する撮影ユニットと、
前記記憶媒体が着脱可能に装着される装着部と、
前記記憶媒体の残存記憶容量が所定の基準値以下か否かを判定する判定部と、
テレビ放送を受信してテレビ映像を作成するテレビユニットと、
前記装着部への前記記憶媒体の装着の有無に関わりなく前記撮影ユニットを動作させるカメラモードと、前記テレビユニットを動作させるテレビモードとを択一的に選択する第１のモード選択部と、
カメラ付き電子機器のユーザが当該電子機器を使用する際に設定されるユーザモードと非ユーザモードとを択一的に選択する第２のモード選択部と、
前記第１のモード選択部によって前記カメラモードが選択された時に前記撮影画像を表示し、前記第１のモード選択部によって前記テレビモードが選択された時に前記テレビ映像を表示する表示部と、
前記第２のモード選択部によって前記ユーザモードが選択されると共に前記第１のモード選択部によって前記テレビモードが選択された場合に、前記判定部によって前記記憶媒体の残存記憶容量が前記所定の基準値以下であると判定された時には前記表示部による前記テレビ映像の表示を許容し、前記判定部によって前記記憶媒体の残存記憶容量が前記所定の基準値を超えると判定された時には前記表示部による前記テレビ映像の表示を所定の時間に制限する第１の制御部と、
前記第２のモード選択部によって前記非ユーザモードが選択されると共に前記第１のモード選択部によって前記テレビモードが選択された場合に、前記記憶媒体の残存記憶容量が前記所定の基準値以下か否かに関わりなく前記表示部による前記テレビ映像の表示を所定の時間に制限する第２の制御部と、を備えることを特徴とするカメラ付き電子機器。
【請求項３】
請求項１または２に記載のカメラ付き電子機器において、
前記撮影ユニットに関する複数の操作部材を更に備え、
前記第２のモード選択部は、前記複数の操作部材が所定の時間の間、同時操作されることによって前記非ユーザモードを選択することを特徴とするカメラ付き電子機器。
【請求項４】
撮像部で被写体を撮影して得た撮影画像を記憶媒体に記憶する撮影ユニットと、
前記記憶媒体が着脱可能に装着される装着部と、
画像を投影するプロジェクタユニットと、
前記装着部への前記記憶媒体の装着の有無に関わりなく前記撮影ユニットを動作させるカメラモードと、前記プロジェクタユニットを動作させるプロジェクタモードとを択一的に選択する第１のモード選択部と、
カメラ付き電子機器のユーザが当該電子機器を使用する際に設定されるユーザモードと非ユーザモードとを択一的に選択する第２のモード選択部と、
前記第２のモード選択部によって前記ユーザモードが選択されると共に前記第１のモード選択部によって前記プロジェクタモードが選択された場合に、前記記憶媒体が前記装着部に装着されていない時には前記プロジェクタユニットによる投影を許容し、前記記憶媒体が前記装着部に装着されている時には前記プロジェクタユニットによる投影を所定の時間に制限する第１の制御部と、
前記第２のモード選択部によって前記非ユーザモードが選択されると共に前記第１のモード選択部によって前記プロジェクタモードが選択された場合に、前記装着部への前記記憶媒体の装着の有無に関わりなく前記プロジェクタユニットによる投影を所定の時間に制限する第２の制御部と、を備えることを特徴とするカメラ付き電子機器。
【請求項５】
撮像部で被写体を撮影して得た撮影画像を記憶媒体に記憶する撮影ユニットと、
前記記憶媒体が着脱可能に装着される装着部と、
前記記憶媒体の残存記憶容量が所定の基準値以下か否かを判定する判定部と、
画像を投影するプロジェクタユニットと、
前記装着部への前記記憶媒体の装着の有無に関わりなく前記撮影ユニットを動作させるカメラモードと、前記プロジェクタユニットを動作させるプロジェクタモードとを択一的に選択する第１のモード選択部と、
カメラ付き電子機器のユーザが当該電子機器を使用する際に設定されるユーザモードと非ユーザモードとを択一的に選択する第２のモード選択部と、
前記第２のモード選択部によって前記ユーザモードが選択されると共に前記第１のモード選択部によって前記プロジェクタモードが選択された場合に、前記判定部によって前記記憶媒体の残存記憶容量が前記所定の基準値以下であると判定された時には前記プロジェクタユニットによる投影を許容し、前記判定部によって前記記憶媒体の残存記憶容量が前記所定の基準値を超えると判定された時には前記プロジェクタユニットによる投影を所定の時間に制限する第１の制御部と、
前記第２のモード選択部によって前記非ユーザモードが選択されると共に前記第１のモード選択部によって前記プロジェクタモードが選択された場合に、前記記憶媒体の残存記憶容量が前記所定の基準値以下か否かに関わりなく前記プロジェクタユニットによる投影を所定の時間に制限する第２の制御部と、を備えることを特徴とするカメラ付き電子機器。
【請求項６】
撮像部で被写体を撮影して得た撮影画像を記憶媒体に記憶する撮影ユニットと、
前記記憶媒体が着脱可能に装着される装着部と、
テレビ放送を受信してテレビ映像を作成するテレビユニットと、
前記装着部への前記記憶媒体の装着の有無に関わりなく前記撮影ユニットを動作させるカメラモードと、前記テレビユニットを動作させるテレビモードとを択一的に選択するモード選択部と、
外部電源により給電されているか否かを検出する給電検出部と、
前記モード選択部によって前記カメラモードが選択された時に前記撮影画像を表示し、前記モード選択部によって前記テレビモードが選択された時に前記テレビ映像を表示する表示部と、
前記給電検出部によって前記外部電源による給電が検出されないと共に前記モード選択部によって前記テレビモードが選択された場合に、前記記憶媒体が前記装着部に装着されていない時には前記表示部による前記テレビ映像の表示を許容し、前記記憶媒体が前記装着部に装着されている時には前記表示部による前記テレビ映像の表示を所定の時間に制限する第１の制御部と、
前記給電検出部によって前記外部電源による給電が検出されると共に前記モード選択部によって前記テレビモードが選択された場合に、前記装着部への前記記憶媒体の装着の有無に関わりなく前記表示部による前記テレビ映像の表示を許容する第２の制御部と、を備えることを特徴とするカメラ付き電子機器。
【請求項７】
撮像部で被写体を撮影して得た撮影画像を記憶媒体に記憶する撮影ユニットと、
前記記憶媒体が着脱可能に装着される装着部と、
前記記憶媒体の残存記憶容量が所定の基準値以下か否かを判定する判定部と、
テレビ放送を受信してテレビ映像を作成するテレビユニットと、
前記装着部への前記記憶媒体の装着の有無に関わりなく前記撮影ユニットを動作させるカメラモードと、前記テレビユニットを動作させるテレビモードとを択一的に選択するモード選択部と、
外部電源により給電されているか否かを検出する給電検出部と、
前記モード選択部によって前記カメラモードが選択された時に前記撮影画像を表示し、前記モード選択部によって前記テレビモードが選択された時に前記テレビ映像を表示する表示部と、
前記給電検出部によって前記外部電源による給電が検出されないと共に前記モード選択部によって前記テレビモードが選択された場合に、前記判定部によって前記記憶媒体の残存記憶容量が前記所定の基準値以下であると判定された時には前記表示部による前記テレビ映像の表示を許容し、前記判定部によって前記記憶媒体の残存記憶容量が前記所定の基準値を超えると判定された時には前記表示部による前記テレビ映像の表示を所定の時間に制限する第１の制御部と、
前記給電検出部によって前記外部電源による給電が検出されると共に前記モード選択部によって前記テレビモードが選択された場合に、前記記憶媒体の残存記憶容量が前記所定の基準値以下か否かに関わりなく前記表示部による前記テレビ映像の表示を許容する第２の制御部と、を備えることを特徴とするカメラ付き電子機器。
【発明の詳細な説明】
【技術分野】
【０００１】
本発明は、撮影機能とは別の機能、例えば、ＴＶ放送を受信、表示可能な機能を持つカメラ付き電子機器に関する。
【背景技術】
【０００２】
従来から、液晶モニタが備えられ、動画像の表示が可能なデジタルカメラが知られている。このようなデジタルカメラにＴＶチューナを内蔵し、テレビ放送を視聴可能としたものが、下記特許文献１に開示されている。【０００３】
【特許文献１】特開２０００−２３００４号公報
【発明の開示】
【発明が解決しようとする課題】
【０００４】
しかし、テレビ視聴時のモニタ消費電力とＩＣ消費電力は増加するが、上記特許文献では、これらの電力消費については考慮されていない。そのため、特に、店頭で購入検討中にテレビ放送を表示する場合には、従来のカメラ単体を試す場合と比べ使用時間が長くなり、バッテリや電池が早く消耗するという問題がある。また、テレビに限らず、プロジェクタ等の電力消費の大きいユニットの組み込まれたデジタルカメラについても同様の問題がある。
【課題を解決するための手段】
【０００５】
請求項１の発明によるカメラ付き電子機器は、撮像部で被写体を撮影して得た撮影画像を記憶媒体に記憶する撮影ユニットと、前記記憶媒体が着脱可能に装着される装着部と、テレビ放送を受信してテレビ映像を作成するテレビユニットと、前記装着部への前記記憶媒体の装着の有無に関わりなく前記撮影ユニットを動作させるカメラモードと、前記テレビユニットを動作させるテレビモードとを択一的に選択する第１のモード選択部と、カメラ付き電子機器のユーザが当該電子機器を使用する際に設定されるユーザモードと非ユーザモードとを択一的に選択する第２のモード選択部と、前記第１のモード選択部によって前記カメラモードが選択された時に前記撮影画像を表示し、前記第１のモード選択部によって前記テレビモードが選択された時に前記テレビ映像を表示する表示部と、前記第２のモード選択部によって前記ユーザモードが選択されると共に前記第１のモード選択部によって前記テレビモードが選択された場合に、前記記憶媒体が前記装着部に装着されていない時には前記表示部による前記テレビ映像の表示を許容し、前記記憶媒体が前記装着部に装着されている時には前記表示部による前記テレビ映像の表示を所定の時間に制限する第１の制御部と、前記第２のモード選択部によって前記非ユーザモードが選択されると共に前記第１のモード選択部によって前記テレビモードが選択された場合に、前記装着部への前記記憶媒体の装着の有無に関わりなく前記表示部による前記テレビ映像の表示を所定の時間に制限する第２の制御部と、を備えることを特徴とする。
請求項２の発明によるカメラ付き電子機器は、撮像部で被写体を撮影して得た撮影画像を記憶媒体に記憶する撮影ユニットと、前記記憶媒体が着脱可能に装着される装着部と、前記記憶媒体の残存記憶容量が所定の基準値以下か否かを判定する判定部と、テレビ放送を受信してテレビ映像を作成するテレビユニットと、前記装着部への前記記憶媒体の装着の有無に関わりなく前記撮影ユニットを動作させるカメラモードと、前記テレビユニットを動作させるテレビモードとを択一的に選択する第１のモード選択部と、カメラ付き電子機器のユーザが当該電子機器を使用する際に設定されるユーザモードと非ユーザモードとを択一的に選択する第２のモード選択部と、前記第１のモード選択部によって前記カメラモードが選択された時に前記撮影画像を表示し、前記第１のモード選択部によって前記テレビモードが選択された時に前記テレビ映像を表示する表示部と、前記第２のモード選択部によって前記ユーザモードが選択されると共に前記第１のモード選択部によって前記テレビモードが選択された場合に、前記判定部によって前記記憶媒体の残存記憶容量が前記所定の基準値以下であると判定された時には前記表示部による前記テレビ映像の表示を許容し、前記判定部によって前記記憶媒体の残存記憶容量が前記所定の基準値を超えると判定された時には前記表示部による前記テレビ映像の表示を所定の時間に制限する第１の制御部と、前記第２のモード選択部によって前記非ユーザモードが選択されると共に前記第１のモード選択部によって前記テレビモードが選択された場合に、前記記憶媒体の残存記憶容量が前記所定の基準値以下か否かに関わりなく前記表示部による前記テレビ映像の表示を所定の時間に制限する第２の制御部と、を備えることを特徴とする。
請求項４の発明によるカメラ付き電子機器は、撮像部で被写体を撮影して得た撮影画像を記憶媒体に記憶する撮影ユニットと、前記記憶媒体が着脱可能に装着される装着部と、画像を投影するプロジェクタユニットと、前記装着部への前記記憶媒体の装着の有無に関わりなく前記撮影ユニットを動作させるカメラモードと、前記プロジェクタユニットを動作させるプロジェクタモードとを択一的に選択する第１のモード選択部と、カメラ付き電子機器のユーザが当該電子機器を使用する際に設定されるユーザモードと非ユーザモードとを択一的に選択する第２のモード選択部と、前記第２のモード選択部によって前記ユーザモードが選択されると共に前記第１のモード選択部によって前記プロジェクタモードが選択された場合に、前記記憶媒体が前記装着部に装着されていない時には前記プロジェクタユニットによる投影を許容し、前記記憶媒体が前記装着部に装着されている時には前記プロジェクタユニットによる投影を所定の時間に制限する第１の制御部と、前記第２のモード選択部によって前記非ユーザモードが選択されると共に前記第１のモード選択部によって前記プロジェクタモードが選択された場合に、前記装着部への前記記憶媒体の装着の有無に関わりなく前記プロジェクタユニットによる投影を所定の時間に制限する第２の制御部と、を備えることを特徴とする。
請求項５の発明によるカメラ付き電子機器は、撮像部で被写体を撮影して得た撮影画像を記憶媒体に記憶する撮影ユニットと、前記記憶媒体が着脱可能に装着される装着部と、前記記憶媒体の残存記憶容量が所定の基準値以下か否かを判定する判定部と、画像を投影するプロジェクタユニットと、前記装着部への前記記憶媒体の装着の有無に関わりなく前記撮影ユニットを動作させるカメラモードと、前記プロジェクタユニットを動作させるプロジェクタモードとを択一的に選択する第１のモード選択部と、カメラ付き電子機器のユーザが当該電子機器を使用する際に設定されるユーザモードと非ユーザモードとを択一的に選択する第２のモード選択部と、前記第２のモード選択部によって前記ユーザモードが選択されると共に前記第１のモード選択部によって前記プロジェクタモードが選択された場合に、前記判定部によって前記記憶媒体の残存記憶容量が前記所定の基準値以下であると判定された時には前記プロジェクタユニットによる投影を許容し、前記判定部によって前記記憶媒体の残存記憶容量が前記所定の基準値を超えると判定された時には前記プロジェクタユニットによる投影を所定の時間に制限する第１の制御部と、前記第２のモード選択部によって前記非ユーザモードが選択されると共に前記第１のモード選択部によって前記プロジェクタモードが選択された場合に、前記記憶媒体の残存記憶容量が前記所定の基準値以下か否かに関わりなく前記プロジェクタユニットによる投影を所定の時間に制限する第２の制御部と、を備えることを特徴とする。
請求項６の発明によるカメラ付き電子機器は、撮像部で被写体を撮影して得た撮影画像を記憶媒体に記憶する撮影ユニットと、前記記憶媒体が着脱可能に装着される装着部と、テレビ放送を受信してテレビ映像を作成するテレビユニットと、前記装着部への前記記憶媒体の装着の有無に関わりなく前記撮影ユニットを動作させるカメラモードと、前記テレビユニットを動作させるテレビモードとを択一的に選択するモード選択部と、外部電源により給電されているか否かを検出する給電検出部と、前記モード選択部によって前記カメラモードが選択された時に前記撮影画像を表示し、前記モード選択部によって前記テレビモードが選択された時に前記テレビ映像を表示する表示部と、前記給電検出部によって前記外部電源による給電が検出されないと共に前記モード選択部によって前記テレビモードが選択された場合に、前記記憶媒体が前記装着部に装着されていない時には前記表示部による前記テレビ映像の表示を許容し、前記記憶媒体が前記装着部に装着されている時には前記表示部による前記テレビ映像の表示を所定の時間に制限する第１の制御部と、前記給電検出部によって前記外部電源による給電が検出されると共に前記モード選択部によって前記テレビモードが選択された場合に、前記装着部への前記記憶媒体の装着の有無に関わりなく前記表示部による前記テレビ映像の表示を許容する第２の制御部と、を備えることを特徴とする。
請求項７の発明によるカメラ付き電子機器は、撮像部で被写体を撮影して得た撮影画像を記憶媒体に記憶する撮影ユニットと、前記記憶媒体が着脱可能に装着される装着部と、前記記憶媒体の残存記憶容量が所定の基準値以下か否かを判定する判定部と、テレビ放送を受信してテレビ映像を作成するテレビユニットと、前記装着部への前記記憶媒体の装着の有無に関わりなく前記撮影ユニットを動作させるカメラモードと、前記テレビユニットを動作させるテレビモードとを択一的に選択するモード選択部と、外部電源により給電されているか否かを検出する給電検出部と、前記モード選択部によって前記カメラモードが選択された時に前記撮影画像を表示し、前記モード選択部によって前記テレビモードが選択された時に前記テレビ映像を表示する表示部と、前記給電検出部によって前記外部電源による給電が検出されないと共に前記モード選択部によって前記テレビモードが選択された場合に、前記判定部によって前記記憶媒体の残存記憶容量が前記所定の基準値以下であると判定された時には前記表示部による前記テレビ映像の表示を許容し、前記判定部によって前記記憶媒体の残存記憶容量が前記所定の基準値を超えると判定された時には前記表示部による前記テレビ映像の表示を所定の時間に制限する第１の制御部と、前記給電検出部によって前記外部電源による給電が検出されると共に前記モード選択部によって前記テレビモードが選択された場合に、前記記憶媒体の残存記憶容量が前記所定の基準値以下か否かに関わりなく前記表示部による前記テレビ映像の表示を許容する第２の制御部と、を備えることを特徴とする。
【発明の効果】
【０００６】
本発明によれば、バッテリの早期消耗を抑制することができる。
【図面の簡単な説明】
【０００７】
【図１】本発明によるＴＶチューナ付きデジタルカメラを説明する外観図であり、（ａ）は上面図、（ｂ）は背面図を示す。
【図２】本発明によるＴＶチューナ付きデジタルカメラを説明するブロック図である。
【図３】本発明によるＴＶチューナ付きデジタルカメラの第一の実施形態の動作を説明するフローチャートである。
【図４】本発明によるＴＶチューナ付きデジタルカメラの第二の実施形態の動作を説明するフローチャートである。
【図５】本発明によるプロジェクタ付きデジタルカメラを説明するブロック図である。
【図６】本発明によるプロジェクタ付きデジタルカメラの動作を説明するフローチャートである。
【図７】本発明によるＴＶチューナ付きデジタルカメラの第四の実施形態の動作を説明するフローチャートである。
【図８】本発明によるＴＶチューナおよびプロジェクタ付きデジタルカメラの要部構成を説明するブロック図である。
【図９】ＴＶチューナおよびプロジェクタ付きデジタルカメラの動作を説明するフローチャートである。
【図１０】本発明によるＴＶチューナ付きデジタルカメラの第六の実施形態の要部構成を説明するブロック図である。
【図１１】本発明によるＴＶチューナ付きデジタルカメラの第六の実施形態の動作を説明するフローチャートである。
【発明を実施するための最良の形態】
【０００８】
以下で、電力消費の大きい非撮影ユニットの一例をＴＶチューナとして、図１〜４を用いて本発明によるＴＶチューナ付きデジタルカメラの実施形態を説明する。
―第一の実施形態―
図１に、本発明によるＴＶチューナ付きデジタルカメラの外観を、図２にＴＶチューナ付きデジタルカメラのブロック図を示す。第一の実施形態では、店頭において長時間のテレビ視聴を制限することを目的とする。メモリカードが装着されていることをもって、店頭モードと判定する。このＴＶチューナ付きデジタルカメラは、デジタルカメラとしての機能とＴＶチューナとしての機能とを備えている。なお、便宜上、これらの機能を主として実現する要素を総称してデジタルカメラ部およびＴＶチューナ部と呼ぶ。【０００９】
デジタルカメラ部は、レンズ１４と、ＣＣＤやＣＭＯＳなどで代表される撮像素子１５と、ユーザによって操作されるレリーズボタンスイッチ１０や各種設定操作を行う十字キー１８と、撮像した画像を一時的に記憶する内蔵メモリ１６と、撮影に関する各種制御や後述する画像合成処理を実行するためのＣＰＵやその周辺回路を含む全体制御部１９と、不図示のバックライトを用いて撮像した画像の再生表示、スルー画の表示、および各種設定メニューを表示する液晶モニタ１１と、撮像画像を計時回路１０２で計時のとれた撮像時刻情報と共に保存するためのメモリカード１２を挿入するメモリカードスロット１２ａとを備えている。なお、液晶モニタ１１は有機ＥＬ（エレクトロルミネセンス）などの自発光素子を用いたモニタであってもよい。メモリカード１２はカメラ本体に着脱される型式の記録媒体であれば、どのような形態もよい。また、１３は電池、３１はＡ／Ｄ変換回路、３２は補正回路、３３はメモリ、３４はカードＩ／Ｆ、３５は外部Ｉ／Ｆである。なお、カードＩ／Ｆ３４を介して、メモリカードスロット１２ａにおけるカード装着の有無を示す信号（カード検出信号）が全体制御部１９に入力される。ＴＶチューナ付きデジタルカメラの背面には、液晶モニタ１１に各種設定メニューを表示させるメニューボタン１００と、内蔵メモリ１６に記憶される最も新しい撮影画像を液晶モニタ１１に表示させる再生ボタン１０１とが配置されている。【００１０】
ＴＶチューナ部は、チューナ２１と、アンテナ２２と、受信したテレビ放送の映像にデジタル処理を加える処理回路２３と、テレビ放送の音声出力をするためのスピーカ２６と、音声増幅用のアンプ２５とを備える。テレビ放送に関する各種制御等を実行する全体制御部１９と、受信したテレビ映像を表示する液晶モニタ１１と、十字キー１８とはデジタルカメラ部で用いる要素と共通である。なお、図２の操作部２０は、上記十字キー１８を含む各種操作部材を代表して示す。十字キー１８は、カメラ使用時はズームボタンなどに用いられ、テレビ使用時はチャンネル選択やボリューム調節として用いられる。この実施の形態では、操作部２０としてモード切替スイッチ２４を有し、このモード切替スイッチ２４により、「カメラモード」と「テレビモード」の切り替え操作を行う。【００１１】
以下、図３に示すフローチャートを用いて、本発明によるＴＶチューナ付きデジタルカメラの動作を説明する。図３の各処理手順は全体制御部１９でプログラムを実行して行われる。図３の各処理を行なうプログラムはメモリ（不図示）に格納されており、モード切替スイッチ２４から操作信号が入力されると起動される。
図３のステップＳ１で「テレビモード選択」が否定されると、すなわち、ユーザ操作により、モード切替スイッチ２４が「カメラモード」に設定されたと判定されると、ステップＳ２に進む。ステップＳ２では、デジタルカメラとして機能するための種々の処理を実行する。【００１２】
カメラモードにおいては、レンズ１４を透過した被写体光束は、撮像素子１５の受光面に結像され、撮像素子１５は、結像された被写体像の光強度に応じた画像信号を出力する。画像信号は、Ａ／Ｄ変換回路３１によりデジタル信号に変換された後、補正回路３２で種々の画像処理が施され、画像データが生成される。生成された画像データは一次バッファであるメモリ３３に格納される。メモリ３３に格納された画像データは、必要に応じて圧縮処理され、二次バッファである内蔵メモリ１６に記録される。記録媒体であるメモリカード１２が装着されている場合には、内蔵メモリ１６からメモリカード１２に撮影された画像データが転送されて記録される。【００１３】
撮影画像を再生する場合、内蔵メモリ１６またはメモリカード１２に記録された画像データは、全体制御部１９によりＶＲＡＭ１７に転送され、画像データに対応する画像が液晶モニタ１１に表示される。また、撮影待機状態では、所定時間間隔で撮影して得られた画像データが内蔵メモリ１６に記録されるとともに、全体制御部１９によりＶＲＡＭ１７に転送され、画像データに対応する画像が液晶モニタ１１にリアルタイムで表示される。これにより撮影者は液晶モニタ１１に表示された画像により被写体を動画像として視認することができる。なお、ＶＲＡＭ１７は液晶モニタ１１に再生表示される画像データのバッファメモリであり、液晶モニタ１１の画素数に対応した画像データの記憶容量を有している。【００１４】
図３において、ステップＳ１が肯定されると、すなわち、ユーザ操作により、モード切替スイッチ２４が「テレビモード」に設定されたと判定される場合にはステップＳ３に進む。ステップＳ３で「メモリカード有り」が肯定された場合、すなわち、カードＩ／Ｆ３４を介して受信されるカード検出信号によりメモリカード１２の装着が判定された場合は、ステップＳ４に進む。ステップＳ４では、ＴＶチューナ付きデジタルカメラがテレビとしてのみ機能するように各種処理が実行される。【００１５】
テレビモードにおいては、アンテナ２２からのテレビ信号をチューナ２１で受信し、音声信号と映像信号とを出力する。音声信号はアンプ２５により増幅されて、スピーカ２６から出力される。映像信号に対しては、処理回路２３において表示用デジタル処理が施行される。表示用デジタル処理が加えられた映像信号は、内蔵メモリ１６またはメモリカード１２に映像データとして一時保管され、全体制御部１９によりＶＲＡＭ１７に転送され、映像データに対応する映像が液晶モニタ１１に表示される。なお、チューナ２１のチャンネル選択は、十字キー１８の操作結果に応じて全体制御部１９により制御される。【００１６】
ステップＳ３が否定された場合、すなわち、メモリカード１２が装着されていないと判定された場合は、ステップＳ５に進む。ステップＳ５では、上述と同様にしてテレビ放送を受信して内蔵メモリ１６に記憶し、ＶＲＡＭ１７を介して液晶モニタ１１に映像を表示し、その後、ステップＳ６へ進む。なお、ステップＳ５において、ＴＶ放送受信時間を制限するタイマを起動する。【００１７】
ステップＳ６では、タイマの計時時間を読み込み、テレビ放送受信を開始してからの経過時間を検出する。ステップＳ６が肯定された場合、すなわち、テレビ放送受信開始から所定時間が経過した場合には、ステップＳ７へ進む。ステップＳ６が否定された場合、すなわち、テレビ放送受信開始から所定時間が経過していない場合には、ステップＳ５に戻り、引き続きテレビ放送の受信および液晶モニタ１１の表示を継続する。ここで、所定時間とは、「３０秒」程度であり、デフォルト値、あるいは、その後に販売店によって変更された時間である。販売店で変更可能な所定時間は、バッテリ消費を制限するという発明の観点から、その上限が設定される。【００１８】
テレビ放送受信開始から所定時間が経過してステップＳ７に進むと、液晶モニタ１１に「デモモードにつき表示を終了します」等のメッセージを一定時間表示する。その後、ステップＳ８に進み、液晶モニタ１１の表示をオフにして一連の処理を終了する。【００１９】
以上で説明した第一の実施形態によるＴＶチューナ付きデジタルカメラによれば、次ぎの作用効果が得られる。メモリカード１２の状態に応じて、全体制御部１９は、撮影処理とは異なる非撮影処理を実行する非撮影ユニットであるＴＶチューナ部の消費電力に関して使用を制限するようにした。すなわち、カメラ本体にメモリカード１２が装着されていない場合に、全体制御部１９はテレビ放送受信時間に制限をかける。したがって、バッテリ電力の大量消費を抑えることができる。特に、店頭で展示される場合には、盗難防止などの理由によりメモリカード１２を装着しないことが多いので、第一の実施形態によれば、購入検討時の不要な長時間テレビ表示を防止することが可能になる。なお、メモリカード１２が装着されていなくても、内蔵メモリ１６により、デジタルカメラとしての動作には影響が及ぶことはない。【００２０】
―第二の実施形態―
本発明の第二の実施形態について説明する。第二の実施形態におけるＴＶチューナ付きデジタルカメラは、図１および図２に示す第一の実施形態におけるＴＶチューナ付きデジタルカメラと同一の構成要素を備える。第二の実施形態のＴＶチューナ付きデジタルカメラにおいては、モード切替スイッチ２４によりテレビモードが選択された場合に、メモリカード１２の装着を検出しない場合は、全体制御部１９は内蔵メモリ１６に予め記憶されているデモ用動画像を液晶モニタ１１に表示する。全体制御部１９は、デモ用動画像の表示を所定時間、たとえば３０秒間行なうと、液晶モニタ１１をオフにする。【００２１】
図４のフローチャートを用いて第二の実施形態におけるＴＶチューナ付きデジタルカメラの動作について説明する。図４の各処理手順は全体制御部１９でプログラムを実行して行われる。図４の各処理を行なうプログラムはメモリ（不図示）に格納されており、モード切替スイッチ２４から操作信号が入力されると起動される。なお、図３のフローチャートでの処理と同一内容の処理については同じ処理番号を付し、説明を省略する。
図４において、ステップＳ３でメモリカード１２が装着されていないと判定されると、ステップＳ９に進む。ステップＳ９では、テレビ放送を受信して表示する代わりに、内蔵メモリ１６に予め記憶されているテレビ放送と同様なデモ用動画像を液晶モニタ１１に表示して、ステップＳ６に進む。図３のステップＳ５で説明したように、このステップＳ９でもテレビ動作時間を制限するためのタイマを起動する。なお、動画像の内容は、サンプルテレビ映像やテレビＣＭ映像でもよい。このような動画像は通常の動作モードにおいても表示させることができる。【００２２】
以上で説明した第二の実施形態によるＴＶチューナ付きデジタルカメラによれば、次の作用効果が得られる。カメラ本体にメモリカード１２が装着されていない場合に、全体制御部１９は実際にテレビ放送を受信せずにデモ用動画像を表示し、あたかもテレビ受信画面を表示しているようにした。そのため、テレビ放送受信回路で使用するＩＣの消費電力を抑えることができる。さらに第二の実施形態においても、第一の実施形態と同様に、カメラ本体にメモリカード１２が装着されていない場合に、全体制御部１９は液晶モニタ１１における動画像表示を一定時間に制限するので、バッテリ電力の大量消費を抑制できる。特に、店頭で展示される場合には、盗難防止などの理由によりメモリカード１２を装着しないことが多いので、本第二の実施形態によれば、購入検討時の不要な長時間の動画像表示を防止することが可能になる。なお、メモリカード１２が装着されていなくても、内蔵メモリ１６により、デジタルカメラとしての動作には影響が及ぶことはない。【００２３】
―第三の実施形態―
次に、電力消費の大きい非撮影ユニットの一例をプロジェクタとして、図５〜６を用いて本発明によるプロジェクタ付きデジタルカメラの実施形態を説明する。
図５に、第三の実施形態のブロック図を示す。プロジェクタ付きデジタルカメラはプロジェクタとしての機能とデジタルカメラとしての機能を備えている。なお、便宜上、これらの機能を主として実現する要素を総称して、デジタルカメラ部およびプロジェクタ部と呼ぶ。デジタルカメラ部の構成は、前述のＴＶチューナ付きデジタルカメラにおけるデジタルカメラ部のものと同一とする。なお、操作部２０に設けたモード切替スイッチ２４は、「カメラモード」と「プロジェクタモード」の切り替え操作を行うものとする。【００２４】
プロジェクタ部は、投影レンズ４１と、液晶パネル４２と、ＬＥＤ光源４３と、ＬＥＤ駆動部４４と、液晶駆動部４５と、レンズ駆動部４６とを含む。ＬＥＤ駆動部４４は、全体制御部１９から出力されるＬＥＤ駆動信号に応じてＬＥＤ光源４３に電流を供給する。ＬＥＤ光源４３は、供給電流に応じた明るさで液晶パネル４２を照明する。ＬＥＤ光源４３の光量は、図示しない調節ダイアルなどにより手動にて調節することができる。なお、プロジェクタ部は、メモリカード１２や内蔵メモリ１６に記憶された画像データに対応する画像を、不図示のスクリーンに投影することができる。また、第一の実施形態、第二の実施形態で説明したアンテナ２２と、チューナ２１と、処理回路２３とを具備し、テレビ放送の受信が可能な構成の場合には、テレビ受信画面を投影することができる。【００２５】
以下、図６に示すフローチャートを用いて本実施形態のプロジェクタ付きデジタルカメラの動作説明をする。図６の各処理手順は全体制御部１９でプログラムを実行して行われる。図６の各処理を行なうプログラムはメモリ（不図示）に格納されており、モード切替スイッチ２４から操作信号が入力されると起動される。
図６において、ステップＳ２１で「プロジェクタモード選択」が肯定されると、すなわち、モード切替スイッチ２４で「プロジェクタモード」が設定されたと判定されると、ステップＳ２３へ進む。ステップＳ２３では、メモリカード１２の装着の有無をカードＩ／Ｆ３４からの検出信号により判定する。ステップＳ２３が肯定された場合、すなわち、メモリカード１２が装着されていると判定された場合は、ステップＳ２４に進み、プロジェクタ付きデジタルカメラがプロジェクタとしてのみ機能するように各種処理が実行される。なお、ステップＳ２１で否定された場合、つまり、モード切替スイッチ２４が「カメラモード」に設定されたと判定されると、ステップＳ２へ進み、上述と同様にデジタルカメラとしてのみ機能するように各種処理が実行される。【００２６】
プロジェクタモードにおいては、全体制御部１９はメモリカード１２に記憶された画像データを読み出す。液晶駆動部４５は、読み出された画像データに応じて液晶パネル駆動信号を生成し、生成した駆動信号で液晶パネル４２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源４３からの光を変調することにより、液晶パネル４２が光像を生成する。【００２７】
レンズ駆動部４６は、全体制御部１９から出力される制御信号に基づいて、投影レンズ４１を光軸方向へ進退駆動する。投影レンズ４１は、液晶パネル４２から射出される光像をスクリーンなどへ向けて投射する。【００２８】
ステップＳ２３が否定された場合、すなわち、メモリカード１２が装着されていないと判定された場合は、ステップＳ２５へ進む。ステップＳ２５ではステップＳ２４と同様にプロジェクタの動作を開始し、デモ画像の投影を行い、ステップＳ２６へ進む。図３のステップＳ５で説明したように、このステップＳ２５でも、プロジェクタ動作時間を制限するためのタイマを起動する。なお、デモ画像は予め内蔵メモリ１６に記憶したサンプル画像である。【００２９】
ステップＳ２６では、タイマの計時時間を読み込み、プロジェクタの投影を開始してからの所定時間が経過したか否かを判定する。ステップＳ２６が肯定された場合、すなわち、プロジェクタの投影開始から所定時間が経過した場合には、ステップＳ２７へ進む。ステップＳ２６が否定された場合、すなわち、プロジェクタの投影開始から所定時間が経過していない場合には、ステップＳ２５に戻り、引き続きプロジェクタによるデモ画像の投影を継続する。ここでの所定時間も上述した通りである。【００３０】
プロジェクタの投影開始から所定時間が経過して、ステップＳ２７に進むと、スクリーンおよび液晶モニタ１１に「デモモードにつき表示を終了します」等のメッセージを一定時間表示する。その後、ステップＳ２８に進み、ＬＥＤ光源３３を消灯してプロジェクタの投影を停止して一連の処理を終了する。なお、液晶モニタ１１に表示するメッセージは、プロジェクタの投影終了後でも一定時間表示し続けてもよい。【００３１】
なお、光源輝度を手動で変更できるようにしたプロジェクタでは、メモリカード非装着時に、次のような規制を加えることで、バッテリ電力の消費をさらに抑えることができる。
（１）光源輝度変更操作を禁止する。あるいは、上限値を定め、最大輝度への変更は禁止する。
（２）光源輝度が最大輝度の設定であっても、標準輝度に設定し直した上で、輝度変更禁止とする。【００３２】
以上で説明した第三の実施の形態のプロジェクタ付きデジタルカメラによれば、次ぎの作用効果が得られる。メモリカード１２が装着されていない場合に、全体制御部１９はプロジェクタの投影時間を所定時間である３０秒に制限するようにした。したがって、バッテリ電力の大量消費を抑えることができる。特に、店頭で展示される場合には、盗難防止などの理由によりメモリカード１２を装着しないことが多いので、本発明の第三の実施形態によれば、購入検討時の不要な長時間プロジェクタ投影を防止することが可能になる。なお、メモリカード１２が装着されていなくても内蔵メモリ１６により、デジタルカメラとしての動作には影響が及ぶことはない。【００３３】
−第四の実施形態−
本発明の第四の実施形態について図７を参照して説明する。第四の実施形態におけるＴＶチューナ付きデジタルカメラは、図１および図２に示す第一の実施形態におけるＴＶチューナ付きデジタルカメラと同一の構成要素を備える。
第四の実施形態におけるＴＶチューナ付きデジタルカメラは、店頭に陳列されているカメラを使用する場合と、ユーザが購入後に使用する場合とにおいて、カメラの機能を切替えることが要求される場合、いわゆる隠しスイッチのオンオフでモードの切替えを行なう。隠しスイッチがオンの場合に非ユーザモードを設定し、テレビ放送受信時間に制限をかける。また、ユーザに引き渡す際にそのモード設定をオフしてユーザモードを設定する。ユーザモードでは、ユーザがカメラを購入した後は、メモリカード装着に応じて、全体制御部１９はＴＶチューナ部のテレビ放送受信時間に加える制限を切替える。【００３４】
隠しスイッチは、たとえば、異なる面に配置されるレリーズボタンスイッチ１０と、メニューボタン１００と、再生ボタン１０１により構成される。すなわち、レリーズボタンスイッチ１０と、メニューボタン１００と、再生ボタン１０１とが同時に、１０秒間継続して押圧操作されると隠しスイッチがオンとなり、ＴＶチューナ部の使用が制限された動作モードに移行する。上述した通り、この動作モードは販売店などで展示する際に設定される非ユーザモードである。この状態で、レリーズスイッチボタン１０と、メニューボタン１００と、再生ボタン１０１とが同時に、１０秒間継続して押圧操作されると隠しスイッチがオフとなり、ユーザが使用する通常の動作モードであるユーザモードに移行する。これらの判断は、全体制御部１９によって行なわれる。このように異なる面に配置された操作部材の所定時間（たとえば１０秒間）の同時操作によって、非ユーザモードに移行する構成とすることで、カメラの載置形態によって複数の操作部材が操作された状態となり、ユーザモードから非ユーザモードへの意図しない移行が防止される。【００３５】
また、上記の各操作部材を、異なる動作モード（たとえば、撮影モードや再生モード）のみで操作される操作部材（たとえば、撮影時のみに操作されるレリーズスイッチボタン１０や、再生時のみに操作される再生画像のコマ送りスイッチ）とすれば、誤操作によって非ユーザモードに移行する可能性をより低減できる。計時回路１０２の出力する時刻情報が、販売店の開店前、たとえば、朝８：００から８：１０の間のみ上記操作を受け付ける構成としておけば、非ユーザモードとユーザモードとの間の意図しない移行を未然に防止することができる。【００３６】
全体制御部１９は、上述した隠しスイッチがオンの場合に、ＴＶチューナ付きデジタルカメラを非ユーザモードに設定する。非ユーザモードにおいては、全体制御部１９は、モード切替スイッチ２４からテレビモードを選択したことを示す信号を入力すると、非撮影ユニットであるＴＶチューナ部のテレビ放送受信時間を所定時間である３０秒に制限する。すなわち、液晶モニタ１１にテレビ画像の表示を開始してから３０秒が経過すると、全体制御部１９はＴＶチューナ部の動作を終了させて、液晶モニタ１１をオフする。【００３７】
全体制御部１９は、上述した隠しスイッチがオフの場合に、ＴＶチューナ付きデジタルカメラをユーザモードに設定する。ユーザモードにおいては、全体制御部１９は、モード切替スイッチ２４からテレビモードを選択したことを示す信号を入力すると、メモリカード１２の装着の有無を確認する。メモリカード１２が装着されていない場合、すなわちカードＩ／Ｆ３４からカード検出信号を入力しない場合は、全体制御部１９はテレビ放送の受信時間に制限をかけない。メモリカード１２が装着されている場合、すなわちカードＩ／Ｆ３４からカード検出信号を入力している場合は、全体制御部１９はテレビ放送の受信時間を所定時間である３０秒に制限する。すなわち、液晶モニタ１１にテレビ映像の表示を開始してから３０秒が経過すると、全体制御部１９はＴＶチューナ部の動作を終了させて、液晶モニタ１１をオフする。【００３８】
図７に示すフローチャートを用いて、第四の実施形態におけるＴＶチューナ付きデジタルカメラの動作を説明する。図７の各処理手順は全体制御部１９でプログラムを実行して行われる。図７の各処理を行なうプログラムはメモリ（不図示）に格納されており、モード切替スイッチ２４から操作信号が入力されると起動される。
ステップＳ１０１では、隠しスイッチがオンされているか否かを判定する。隠しスイッチがオンの場合は、ステップＳ１０１が肯定判定されてステップＳ１０２へ進む。隠しスイッチがオフの場合は、ステップＳ１０１が否定判定されてステップＳ１１０へ進む。【００３９】
ステップＳ１０２においては、図３のステップＳ１と同様にモード切替スイッチ２４によりテレビモードが選択されたか否かを判定する。テレビモードが選択された場合は、ステップＳ１０２が肯定判定されてステップＳ１０４へ進む。ステップＳ１０４（テレビ放送受信、表示）からステップＳ１０７（モニタオフ）までの各処理は、図３におけるステップＳ５（テレビ放送受信、表示）からステップＳ８（モニタオフ）までの各処理と同様の処理を行なう。カメラモードが選択された場合は、ステップＳ１０２が否定判定されてステップＳ１０３へ進む。ステップＳ１０３においては、図３におけるステップＳ２と同様に、デジタルカメラとして機能するための種々の処理を実行する。【００４０】
ステップＳ１０１が否定判定されて進んだステップＳ１０８においては、ステップＳ１０２と同様にテレビモードが選択されたか否かを判定する。テレビモードが選択された場合は、ステップＳ１０８が肯定判定されてステップＳ１０９へ進む。カメラモードが選択された場合は、ステップＳ１０８が否定判定されてステップＳ１１０へ進む。ステップＳ１１０においては、ステップＳ１０３と同様に、デジタルカメラとして機能するための種々の処理が実行する。【００４１】
ステップＳ１０９では、メモリカード１２の装着の有無を判定する。メモリカード１２が装着されている場合、すなわちカードＩ／Ｆ３４からカード検出信号を入力した場合は、ステップＳ１０９が肯定判定されてステップＳ１１２へ進む。ステップＳ１１２（テレビ放送受信、表示）からステップＳ１１５（モニタオフ）までの各処理はステップＳ１０４（テレビ放送受信、表示）からステップＳ１０７（モニタオフ）までの各処理と同様の処理を行なう。メモリカード１２が装着されていない場合は、ステップＳ１０９が否定判定されてステップＳ１１１へ進む。ステップＳ１１１においては、図３におけるステップＳ４と同様に、チューナ２１で受信したテレビ放送の映像を液晶モニタ１１に表示する。【００４２】
以上で説明した第四の実施形態のＴＶチューナ付きデジタルカメラによれば、以下の作用効果が得られる。
（１）隠しスイッチがオンされてＴＶチューナ付きデジタルカメラが非ユーザモードに設定されている場合には、全体制御部１９は非撮影ユニットであるＴＶチューナ部の使用、すなわちテレビ放送受信可能時間に制限を加えるようにした。したがって、店頭でのカメラの試用に際し、非ユーザモードに設定することにより購入検討時の不要な長時間テレビ表示を防止することが可能になるので、バッテリ電力の大量消費を抑えることができる。【００４３】
（２）隠しスイッチがオフされてＴＶチューナ付きデジタルカメラがユーザモードに設定されている場合に、メモリカード１２の装着を検出すると、全体制御部１９はＴＶチューナ部の使用、すなわちテレビ放送受信可能時間に制限を加えるようにした。ユーザモードにおいてメモリカード１２が装着されている場合は、ユーザがカメラにより被写体を撮影する可能性が高い。このような場合に、非撮影ユニットの長時間使用によるバッテリ電力の大量消費を抑え、被写体撮影の際にバッテリ電力が不足して、撮影ユニットの動作に必要な電力が確保できなくなるという事態を防ぐことができる。【００４４】
−第五の実施形態−
図８および図９を参照して、本発明の第五の実施形態における、ＴＶチューナおよびプロジェクタ付きデジタルカメラについて説明する。図８に、図１の外観を有するＴＶチューナおよびプロジェクタ付きデジタルカメラの要部構成を示す。なお、第一〜第四の実施形態におけるＴＶチューナ付きデジタルカメラまたはプロジェクタ付きデジタルカメラと同一の構成要素については、同一の符号を付すものとする。なお、操作部２０に設けたモード切替スイッチ２４は、「テレビモード」と、「プロジェクタモード」と、「カメラモード」の切り替え操作を行う。「プロジェクタモード」と「テレビモード」を共に選択することができる。この場合、チューナ２１で受信したテレビ放送による映像をプロジェクタ部を用いて投影することができる。「カメラモード」は、「プロジェクタモード」および「テレビモード」のいずれか一方と共に選択することはできない。【００４５】
第五の実施形態におけるＴＶチューナおよびプロジェクタ付きデジタルカメラは、第四の実施形態のＴＶチューナ付きデジタルカメラと同様に、隠しスイッチを有する。隠しスイッチがオン、すなわち非ユーザモードの場合にＴＶチューナ部およびプロジェクタ部の使用時間に制限をかける。また、隠しスイッチがオフ、すなわちユーザモードの場合には、メモリカード装着に応じて、全体制御部１９はＴＶチューナ部およびプロジェクタ部の使用時間に加える制限を切替える。【００４６】
（１−１）非ユーザモード、テレビモード
全体制御部１９は、上述した隠しスイッチがオンの場合に、ＴＶチューナおよびプロジェクタ付きデジタルカメラを非ユーザモードに設定する。全体制御部１９は、非ユーザモードにおいてモード切替スイッチ２４からテレビモードを選択したことを示す信号を入力すると、ＴＶチューナ部を駆動して、チューナ２１によりテレビ放送を受信する。このとき、全体制御部１９はプロジェクタ部への電力供給を停止する。全体制御部１９は、受信したテレビ放送の映像を液晶モニタ１１に表示する。全体制御部１９は、テレビ放送の受信時間を所定時間である３０秒に制限する。したがって、映像表示開始から３０秒が経過すると、全体制御部１９はＴＶチューナ部の駆動を停止する。【００４７】
（１−２）非ユーザモード、プロジェクタモード
非ユーザモードにおいて、モード切替スイッチ２４からプロジェクタモードを選択したことを示す信号を入力すると、全体制御部１９はプロジェクタ部を駆動する。さらに、全体制御部１９はＴＶチューナ部を駆動して、チューナ２１によりテレビ放送を受信する。そして、全体制御部１９は、受信したテレビ放送の映像をプロジェクタ部を用いて投影するとともに、受信したテレビ放送の音声をスピーカ２６から出力する。さらに、全体制御部１９は、テレビ映像の投影時間を所定時間である３０秒に制限する。すなわち、全体制御部１９は、テレビ映像の投影開始から３０秒が経過すると、ＬＥＤ光源４３をオフしてプロジェクタ部の駆動を停止する。さらに、ＴＶチューナ部の駆動も停止する。【００４８】
（２−１）ユーザモード、テレビモード
全体制御部１９は、上述した隠しスイッチがオフの場合に、ＴＶチューナおよびプロジェクタ付きデジタルカメラをユーザモードに設定する。全体制御部１９は、ユーザモードにおいてモード切替スイッチ２４からテレビモードを選択したことを示す信号を入力すると、ＴＶチューナ部を駆動する。そして、全体制御部１９は、メモリカード１２の装着の有無に応じて非撮影ユニットであるＴＶチューナ部の使用の制限を切替える。このとき、全体制御部１９は、プロジェクタ部への電力供給を停止する。【００４９】
（２−１−１）メモリカード非装着
メモリカード１２が装着されていない場合、すなわちカードＩ／Ｆ３４からカード検出信号を入力しない場合は、全体制御部１９は、テレビ放送の映像を液晶モニタ１１に表示し、音声をスピーカ２６から出力する。この場合、全体制御部１９はテレビ放送の受信時間に制限を加えない。【００５０】
（２−１−２）メモリカード装着
メモリカード１２が装着されている場合、すなわちカードＩ／Ｆ３４からカード検出信号を入力している場合は、全体制御部１９は、テレビ放送の映像を液晶モニタ１１に表示し、音声をスピーカ２６から出力する。この場合、全体制御部１９はテレビ放送の受信時間が所定時間である３０秒となるように制限を加える。つまり、全体制御部１９は、テレビ映像の表示開始から３０秒が経過すると、ＴＶチューナ部の駆動を停止する。【００５１】
（２−２）ユーザモード、プロジェクタモード
全体制御部１９は、ユーザモードにおいてモード切替スイッチ２４からプロジェクタモードを選択したことを示す信号を入力すると、プロジェクタ部を駆動する。そして、全体制御部１９は、メモリカード１２の装着の有無に応じて非撮影ユニットであるプロジェクタ部の使用の制限を切替える。【００５２】
（２−２−１）メモリカード非装着
メモリカード１２が装着されていない場合、すなわちカードＩ／Ｆ３４からカード検出信号を入力しない場合は、全体制御部１９はテレビモードが選択されているか否かを検出する。テレビモードが選択されている場合は、全体制御部１９は、ＴＶチューナ部を駆動して、チューナ２１によりテレビ放送を受信する。そして、全体制御部１２は受信したテレビ放送の映像をプロジェクタ部を用いて投影するとともに、音声をスピーカ２６から出力する。このとき、全体制御部１９は、プロジェクタ部の使用に制限を加えない。テレビモードが選択されていない場合は、全体制御部１９は、ＬＥＤ光源４３をオフしてプロジェクタ部の駆動を停止する。すなわち、プロジェクタ部によるテレビ映像の投影を行なわない。【００５３】
（２−２−２）メモリカード装着
メモリカード１２が装着されている場合、モード切替スイッチ２４によりテレビモードが選択されているときは、ＴＶチューナ部を駆動して、チューナ２１によりテレビ放送を受信する。そして、全体制御部１９は受信したテレビ放送の映像をプロジェクタ部を用いて投影するとともに、音声をスピーカ２６から出力する。モード切替スイッチ２４によりテレビモードが選択されていないときは、全体制御部１９はメモリカード１２に記憶されている画像データを読み出す。そして、全体制御部１９は、読み出した画像データに対応する画像を、プロジェクタ部を用いて投影する。画像の投影開始から所定時間の３０秒が経過すると、全体制御部１９はＬＥＤ光源４３をオフしてプロジェクタ部の駆動を停止する。すなわち、全体制御部１９は、プロジェクタ部の使用時間に制限を加える。なお、テレビモードも選択されている場合は、全体制御部１９はＴＶチューナ部の駆動も停止する。【００５４】
図９に示すフローチャートを用いて、第五の実施形態におけるＴＶチューナおよびプロジェクタ付きデジタルカメラの動作を説明する。図９の各処理手順は全体制御部１９でプログラムを実行して行われる。図９の各処理を行なうプログラムはメモリ（不図示）に格納されており、モード切替スイッチ２４から操作信号が入力されると起動される。
ステップＳ２０１では、隠しスイッチがオンされているか否かを判定する。隠しスイッチがオンの場合は、ステップＳ２０１が肯定判定されてステップＳ２０２へ進む。隠しスイッチがオフの場合は、ステップＳ２０１が否定判定されてステップＳ２１３へ進む。【００５５】
ステップＳ２０２においては、プロジェクタモードが選択されたか否かを判定する。モード切替スイッチ２４からプロジェクタモードを選択したことを示す信号を入力した場合は、ステップＳ２０２が肯定判定されてステップＳ２０９へ進む。ステップＳ２０９においては、チューナ２１で受信したテレビ放送の映像をプロジェクタ部を介して投影してステップＳ２１０へ進む。ステップＳ２１０（所定時間経過判定）からステップＳ２１２（光源オフ）までの各処理は、図６におけるステップＳ２６（所定時間経過判定）からステップＳ２８（光源オフ）までの各処理と同様の処理を行なう。【００５６】
モード切替スイッチ２４からプロジェクタモードを選択したことを示す信号を入力していない場合は、ステップＳ２０２が否定判定されてステップＳ２０３へ進む。ステップＳ２０３（テレビモード選択判定）からステップＳ２０８（モニタオフ）までの各処理は、図７におけるステップＳ１０２（テレビモード選択判定）からステップＳ１０７（モニタオフ）までの各処理と同様の処理を行なう。【００５７】
隠しスイッチがオフの場合に進んだステップＳ２１３においては、プロジェクタモードが選択されたか否かを判定する。モード切替スイッチ２４からプロジェクタモードを選択したことを示す信号を入力した場合は、ステップＳ２１３が肯定判定されてステップＳ２２２へ進む。モード切替スイッチ２４からプロジェクタモードを選択したことを示す信号を入力していない場合は、ステップＳ２１３が否定判定されてステップＳ２１４へ進む。【００５８】
ステップＳ２１４（テレビモード選択判定）からステップＳ２２１（モニタオフ）までの各処理は、図７におけるステップＳ１０８（テレビモード選択判定）からステップＳ１１５（モニタオフ）までの各処理と同様の処理を行なう。【００５９】
ステップＳ２２２においては、メモリカード１２が装着されているか否かを判定する。カードＩ／Ｆ３４からカード検出信号を入力した場合は、ステップＳ２２２が肯定判定されてステップＳ２２５へ進む。ステップＳ２２５においては、チューナ２１で受信したテレビ放送の映像、またはメモリカード１２から読み出した画像データに対応する画像をプロジェクタ部を用いて投影してステップＳ２２６へ進む。ステップＳ２２６（所定時間経過判定）からステップＳ２２８（光源オフ）までの各処理は、図６におけるステップＳ２６（所定時間経過判定）からステップＳ２８（光源オフ）までの各処理と同様の処理を行なう。【００６０】
カードＩ／Ｆ３４からカード検出信号を入力しない場合は、ステップＳ２２２が否定判定されてステップＳ２２３へ進む。ステップＳ２２３においては、テレビモードが選択されているか否かを判定する。モード切替スイッチ２４からテレビモードが選択されたことを示す信号を入力した場合は、ステップＳ２２３が肯定判定されてステップＳ２２４へ進む。ステップＳ２２４においては、ステップＳ２０９と同様に、チューナ２１で受信したテレビ放送の映像をプロジェクタ部を介して投影する。モード切替スイッチ２４からテレビモードが選択されたことを示す信号を入力しない場合は、ステップＳ２２３が否定判定されてステップＳ２２８へ進む。【００６１】
以上で説明した第五の実施形態によるＴＶチューナおよびプロジェクタ付きデジタルカメラによれば、以下の作用効果が得られる。
（１）隠しスイッチがオンされて非ユーザモードに設定されている場合には、全体制御部１９は非撮影ユニットであるＴＶチューナ部のテレビ放送受信時間またはプロジェクタ部の画像投影時間に制限を加えるようにした。したがって、店頭で展示される場合には、非ユーザモードに設定することにより購入検討時の不要な長時間テレビ表示または画像投影を防止することが可能になるので、バッテリ電力の大量消費を抑えることができる。【００６２】
（２）隠しスイッチがオフされてユーザモードに設定されている場合に、メモリカード１２の装着を検出すると、全体制御部１９はＴＶチューナ部のテレビ放送受信時間またはプロジェクタ部の画像投影時間に制限を加えるようにした。ユーザモードにおいてメモリカード１２が装着されている場合は、ユーザがカメラにより被写体を撮影する可能性が高い。このような場合に、非撮影ユニットの長時間使用によるバッテリ電力の大量消費を抑え、被写体撮影の際にバッテリ電力が不足して、撮影ユニットの動作に必要な電力が確保できなくなるという事態を防ぐことができる。【００６３】
−第六の実施形態−
図１０および図１１を参照して、本発明の第六の実施の形態におけるＴＶチューナ付きデジタルテレビを第一の実施形態におけるＴＶチューナ付きデジタルカメラとの相違点について主に説明する。図１０は、図１と同一の外観を有するＴＶチューナ付きデジタルカメラの要部構成を示すブロック図である。図１０のブロック図に示すように、クレードル３７へのカメラの装着を検出するクレードル検出部３７を備える。
第六の実施形態におけるＴＶチューナ付きデジタルカメラは、クレードル３７に装着した時、すなわち、クレードル３７経由でＡＣ電源に接続されている場合は、メモリカード１２の装着の有無にかかわらず、全体制御部１９はテレビ放送受信時間に対して制限を加えない。クレードル３７に装着されていない場合は、全体制御部１９は、カードＩ／Ｆ３４を介してメモリカード１２が装着されていることを検出すると、テレビ放送受信時間に対して制限を加える。クレードル３７に装着されていない場合に、メモリカード１２の装着を検出しないときは、全体制御部１９はテレビ放送受信時間に制限を加えない。【００６４】
以下、図１１に示すフローチャートを用いて本実施形態のＴＶチューナ付きデジタルカメラの動作説明をする。図１１の各処理手順は全体制御部１９でプログラムを実行して行われる。図１１の各処理を行なうプログラムはメモリ（不図示）に格納されており、モード切替スイッチ２４から操作信号が入力されると起動される。
ステップＳ３０１においては、クレードル３７へのカメラの装着の有無を検出する。クレードル検出部３６から装着信号を入力した場合は、ステップＳ３０１が肯定判定されてステップＳ３０２へ進む。ステップＳ３０２においては、カメラモードが選択されたか否かを判定する。カメラモードが選択された場合は、ステップＳ３０２が肯定判定されてステップＳ３０３へ進む。ステップＳ３０３においては、図３におけるステップＳ２と同様の処理を行なって一連の処理を終了する。テレビモードが選択された場合は、ステップＳ３０２が否定判定されてステップＳ３０４へ進む。ステップＳ３０４においては、図３におけるステップＳ４と同様の処理を行なって一連の処理を終了する。【００６５】
クレードル検出部３６から装着信号を入力しない場合は、ステップＳ３０１が否定判定されてステップＳ３０５へ進む。ステップＳ３０５（テレビモード選択判定）からステップＳ３１２（モニタオフ）までの各処理は、図７に示すステップＳ１０８（テレビモード選択判定）からステップＳ１１５（モニタオフ）までの各処理と同様の処理を行なう。【００６６】
以上で説明した第六の実施形態によるＴＶチューナ付きデジタルカメラによれば、以下の作用効果が得られる。
（１）全体制御部１９は、外部電源であるクレードル３７から給電されていないことが検出されると、非撮影ユニットであるＴＶチューナ部のテレビ放送受信時間に制限を加えるようにした。したがって、外部電源から電力供給を受けていない場合は、長時間のテレビ表示を防止することが可能になるので、バッテリ電力の大量消費を抑えることができる。【００６７】
（２）クレードル３７から給電されていないことが検出された状態で、メモリカード１２の装着を検出しない場合は、全体制御部１９は、非撮影ユニットであるＴＶチューナ部のテレビ放送受信時間に制限を加えないようにした。外部から電力供給を受けていない状態でメモリカード１２が装着されていない場合は、ユーザがカメラにより被写体を撮影する可能性が低い。このような場合には、被写体撮影の際に撮影ユニットの動作に必要な電力を確保する必要がないので、ユーザの好みの時間で非撮影ユニットを使用することができる。【００６８】
（３）クレードル３７から給電されていることが検出された場合は、全体制御部１９は、非撮影ユニットであるＴＶチューナ部の使用に制限を加えないようにした。クレードル３７にカメラが装着されている時はクレードル３７経由でＡＣ電源に接続されているので、カメラ内部のバッテリを消費することはない。したがって、非撮影ユニットが長時間使用されてもバッテリ電力の消費を抑える必要がないので、ユーザの好みの時間で非撮影ユニットを使用することができる。【００６９】
以上で説明した実施の形態を、以下のように変形できる。
（１）メモリカード１２の装着の有無に基づいて全体制御部１９が非撮影ユニットの使用を制限するものに代えて、メモリカード１２の残記憶容量に基づいて全体制御部１９が非撮影ユニットの使用を制限してもよい。この場合、全体制御部１９は、カードＩ／Ｆ３４を介して入力したメモリカード１２の残記憶容量が所定の基準値以下であるか否かを判定する。隠しスイッチがオフまたはクレードル３７にカメラが装着されていない場合に、メモリカード１２の残記憶容量が所定の基準値以下のときは、全体制御部１９は非撮影ユニットの使用に制限を加えないようにすればよい。隠しスイッチがオンまたはクレードル３７にカメラが装着されている場合には、全体制御部１９はメモリカード１２の残記憶容量にかかわらず非撮影ユニットの使用に制限を加えないようにする。【００７０】
さらに、メモリカード１２を装着しない内蔵メモリ式のカメラの場合は、内蔵メモリの残記憶容量に基づいて全体制御部１９が非撮影ユニットの使用を制限してもよい。この場合、全体制御部１９は内蔵メモリの残記憶容量を検出する。そして、全体制御部１９は、検出した内蔵メモリの残記憶容量が所定の基準値以下であるか否かを判定する。隠しスイッチがオフまたはクレードル３７が装着されていない場合に、内蔵メモリの残記憶容量が所定の基準値以下のときは、全体制御部１９は非撮影ユニットの使用に制限を加えないようにすればよい。隠しスイッチがオンまたはクレードル３７が装着されている場合には、全体制御部１９は内蔵メモリの残記憶容量にかかわらず非撮影ユニットの使用に制限を加えないようにする。【００７１】
（２）デジタルカメラに電力消費の大きい非撮影ユニットとしてＴＶチューナ、もしくはプロジェクタを組み込んだ場合について説明してきたが、大電力消費ユニットはＴＶチューナやプロジェクタに限定されるものではない。例えば、携帯型テレビゲームや通信機等の、モニタおよびＩＣ消費電力の大きいユニットを組み込んだ場合にも、本発明を適用することができる。すなわち、本発明は各種カメラ付き電子機器に適用できる。【００７２】
なお、さまざまな実施の形態および変形例を説明したが、本発明はこれらの内容に限定されるものではなく、本発明の技術的思想の範囲内で考えられるその他の態様も本発明の範囲内に含まれる。すなわち、カメラ使用時よりも電力消費が大きい非撮影ユニットの電力消費に制限を加えるものであれば、時間制限や使用形態の制限に限らず、種々の制限を用いてもよい。たとえば、非撮影ユニットが消費電力の異なる複数の機能を有する場合に、消費電力が大きい機能の動作を禁止するものでもよい。この場合、消費電力が小さい機能の動作は時間制限してもよいし、しなくてもよい。【００７３】
次の優先権基礎出願の開示内容は引用文としてここに組み込まれる。
日本国特許出願２００５年第３０５８０７号（２００５年１０月２０日出願）
【図１】
0005251126.tif 000002
【図２】
0005251126.tif 000003
【図３】
0005251126.tif 000004
【図４】
0005251126.tif 000005
【図５】
0005251126.tif 000006
【図６】
0005251126.tif 000007
【図７】
0005251126.tif 000008
【図８】
0005251126.tif 000009
【図９】
0005251126.tif 000010
【図１０】
0005251126.tif 000011
【図１１】
0005251126.tif 000012